(57)【要約】      （修正有）【課題】使用者の要求及び容体に対応して使用者を支援できる支援システムを提供する。【解決手段】支援システム１は、ホストサーバ１０と、ホストサーバ１０と通信可能な端末機３０と、を含む。端末機３０は、使用者の覚醒信号が入力される入力回路と、入力回路に接続され、覚醒信号に基づいて使用者への支援をするか否かを判断する制御回路と、を含む。【選択図】図１
2019216820.tif 000002
【特許請求の範囲】
【請求項１】
ホストサーバと、
前記ホストサーバと通信可能な端末機と
を備え、前記端末機は、
使用者の覚醒信号が入力される入力回路と、
前記入力回路に接続され、前記覚醒信号に基づいて前記使用者への支援をするか否かを判断する制御回路と
を含む支援システム。
【請求項２】
前記制御回路は、前記使用者との会話の結果に基づいて前記使用者への支援内容及び緊急度を決定した後、前記使用者への前記支援を行う、
前記請求項１記載の支援システム。
【請求項３】
前記入力回路には、前記使用者の呼吸信号及び心拍信号の少なくとも１つが入力される、
請求項１または２記載の支援システム。
【請求項４】
前記入力回路には、前記使用者による応対者の呼び出し要求に関する信号が更に入力され、
前記制御回路は、前記信号が入力された場合、前記使用者の生体情報に基づいて前記使用者の容体を確認する、
請求項１乃至３のいずれか一項記載の支援システム。  
【請求項５】
前記支援内容には、応対者への前記使用者の要求内容及び前記緊急度の報告が含まれる、
請求項２記載の支援システム。
【請求項６】
前記支援内容には、外部機器への制御信号の送信が含まれる、
請求項２記載の支援システム。
【発明の詳細な説明】
【技術分野】
【０００１】
本実施形態は、支援システムに関する。
【背景技術】
【０００２】
病院及び介護施設等では、患者または要介護者等からの呼び出し要求（以下、「ナースコール」と表記する）があると、看護師または介護士等は、要求の内容を確認するために患者または要介護者等の元に駆けつけ、要求に対応する必要がある。
【先行技術文献】
【特許文献】
【０００３】
【特許文献１】米国特許第９，５１７，０３４号明細書
【発明の概要】
【発明が解決しようとする課題】
【０００４】
使用者の要求及び容体に対応して使用者を支援できる支援システムを提供する。
【課題を解決するための手段】
【０００５】
実施形態に係る支援システムは、ホストサーバと、ホストサーバと通信可能な端末機とを含む。端末機は、使用者の覚醒信号が入力される入力回路と、入力回路に接続され、覚醒信号に基づいて使用者への支援をするか否かを判断する制御回路とを含む。
【発明の効果】
【０００６】
本実施形態によれば、支援システムは、使用者の要求及び使用者の容体を確認して支援を行うことができる。
【図面の簡単な説明】
【０００７】
【図１】図１は、第１実施形態に係る支援システムの全体構成を示す図である。
【図２】図２は、第１実施形態に係る支援システムにおける端末機の構成を示す図である。
【図３】図３は、第１実施形態に係る支援システムにおける支援動作のフローチャートである。
【図４】図４は、第１実施形態に係る支援システムにおける支援動作のフローチャートである。
【図５】図５は、第３実施形態に係る支援システムにおける支援動作のフローチャートである。
【発明を実施するための形態】
【０００８】
以下、実施形態につき図面を参照して説明する。この説明に際し、全図にわたり、共通する部分には共通する参照符号を付す。
【０００９】
１．第１実施形態
第１実施形態に係る支援システムについて説明する。以下では、例えば病院において、支援システム１が用いられ、支援システム１の端末機３０が、入院患者一人につき１台与えられている場合について説明する。なお、支援システム１の端末機３０は、複数人、例えば同じ病室に入院している複数の患者に対して１台与えられていてもよい。
【００１０】
１．１  支援システムの全体構成
まず、支援システム１の全体構成について、図１を用いて説明する。
【００１１】
図１に示すように、支援システム１は、ホストサーバ１０、中継器（ＡＰ）２０、及び複数の端末機３０を含む。
【００１２】
ホストサーバ１０は，支援システム１全体を制御する。ホストサーバ１０は、各端末機３０との情報の送受信を司る。ホストサーバ１０は、端末機３０の稼働状態を管理する。また、ホストサーバ１０は、ネットワーク等を介して他の設備との通信を司る。例えば、ホストサーバ１０は、ネットワークを介してナースコールの管理システム、クラウドコンピュータ、外部データベース、病院の医療システム、または医療用情報端末機等と通信を行う。
【００１３】
中継器２０は、例えば、病院等の施設内で複数の端末機３０が用いられている場合などに設置され、ホストサーバ１０と複数の端末機３０との間で通信する際の中継基地として機能する。また、中継器２０は、複数の端末機３０間で通信する際の中継基地として機能する。なお、例えば、自宅で治療中の患者（以下、「在宅患者」と表記する）が端末機３０を使用する場合、端末機３０は、中継器２０を介さずに、電話回線あるいはネットワーク回線等を介してホストサーバ１０と通信を行ってもよい。
【００１４】
端末機３０は、使用者から取得した生体情報、または使用者との会話により得られた会話情報等に基づいて、使用者の容体及び使用者の要求等を確認し、使用者の支援を行う。
【００１５】
１．２  端末機の構成
次に、端末機３０の構成について、図２を用いて説明する。
【００１６】
図２に示すように、端末機３０は、無線通信回路３１、会話スイッチ３２、マイクロフォン３３、スピーカー３４、入力回路３５、出力回路３６、制御回路３７、及びメモリ３８を含む。なお、端末機３０は、例えば、対話機能を有するロボット等に搭載されていてもよい。
【００１７】
無線通信回路３１は、入力回路３５及び出力回路３６に接続され、ホストサーバ１０、中継器２０、または外部機器との無線通信に用いられる。より具体的には、例えば、無線通信回路３１は、ナースコール（以下、単に「ＮＣ」とも表記する）の管理システム、患者の生体情報のモニタリング装置、病室またはベッド脇まで物品（飲料水、車椅子、カート、ＩＶポール等）を搬送する自動搬送装置、周辺機器（病室内に設置された照明、カーテン、及びテレビ等）、外部データベース、クラウドコンピュータ、医療用情報端末機、医療設備、または他の端末機３０（例えば、病室内に他の患者がいる場合、他の患者が利用している端末機３０）等と、ホストサーバ１０及び中継器２０を介して、または上記機器と直接信号の送受信を行う。また、無線通信回路３１は、例えば在宅患者等が端末機３０を使用する場合に、電話回線またはネットワーク回線等を介して端末機３０とホストサーバ１０とが通信する際に用いられる。生体情報のモニタリング装置の１つとして、例えば、ベッドに在床している患者の睡眠及び覚醒、患者の起き上がり（体動）、呼吸、及び心拍等をモニタリングする「眠りＳＣＡＮＴＭ」がある。以下、本実施形態では、無線通信回路３１が、眠りＳＣＡＮＴＭから覚醒信号、起き上がり信号、呼吸信号、及び心拍信号を受信する場合について説明する。なお、無線通信回路３１は、眠りＳＣＡＮＴＭに限定されず、例えば患者に装着されたウェアラブル端末機等の他のセンシングデバイスから生体情報に関する信号を受信してもよい。
【００１８】
会話スイッチ３２は、入力回路３５に接続される。会話スイッチ３２は、端末機３０の使用者（例えば患者や看護師等）が端末機３０と会話を開始させたい場合、または端末機３０との会話を終了させたい場合に、使用者により操作される。なお、会話スイッチ３２を廃して、使用者の音声操作により会話の開始及び終了の操作が行われもよい。また、端末機３０は、会話スイッチ３２の操作の有無に関わらず、他の入力情報に応じて自動的に会話を開始または終了させる場合もある。
【００１９】
マイクロフォン３３は、入力回路３５に接続され、使用者と会話をする際に用いられる。
【００２０】
スピーカー３４は、出力回路３６に接続され、使用者と会話する際、あるいは、必要な情報を使用者に音声で知らせる場合に用いられる。
【００２１】
入力回路３５は、制御回路３７に接続される。入力回路３５は、無線通信回路３１、会話スイッチ３２、及びマイクロフォン３３等と制御回路３７とにおける信号のインターフェース処理を実行する。
【００２２】
出力回路３６は、制御回路３７に接続される。出力回路３６は、無線通信回路３１及びスピーカー等と制御回路３７とにおける信号のインターフェース処理を実行する。
【００２３】
メモリ３８は、制御回路３７に接続される。メモリ３８には、各種入力情報（例えば、患者の個人情報、生体情報、及び会話情報等）、患者と会話する際に利用される会話文（フレーズ）、あるいは患者の支援を行う際の実行プログラム等が記憶される。なお、会話文として、一般的な定型文（例えば、「おはようございます」または「おやすみなさい」等）と合わせて、患者毎に異なる会話文が登録されてもよい。
【００２４】
制御回路３７は、例えば、中央演算処理装置（ＣＰＵ：central processing unit）から構成され、端末機３０全体を制御する。
【００２５】
より具体的には、制御回路３７は、例えば、入力回路３５を介して入力された情報等に基づいて複数の会話文の優先順位付けを行い、使用者との会話の内容を選択する。そして、制御回路３７は、入力情報または使用者との会話の結果等に基づいて、各種支援を実行する。
【００２６】
制御回路３７は、患者の識別機能を有する。例えば、制御回路３７は、患者を識別して、患者に適した会話文の優先順位付けを行う。また制御回路３７は、患者毎に分類して情報（個人情報、生体情報、会話情報等）をメモリ３８に記憶する。更に、制御回路３７は、例えば、外部データベース等にアクセスして、患者に関する情報のダウンロードあるいはアップロードを行ってもよい。
【００２７】
制御回路３７は、過去に行った会話の内容や支援の内容に基づく学習機能を有していてもよく、学習結果に基づいて会話文の優先順位づけや支援内容の推測を行うようにしてもよい。更に、制御回路３７は、使用者の音声、病院関係の専門用語を認識するための学習機能を有していてもよい。例えば、高齢者の場合、言語認識ソフトによる認識率が低い傾向にあるので、学習機能を用いて、認識率を高めてもよい。
【００２８】
また、制御回路３７は、端末機３０が例えば介護用ロボットに搭載されている場合、会話または支援の内容に合わせてロボットの動作を制御してもよく、または、ロボットの制御システムに動作を指示してもよい。
【００２９】
なお、制御回路３７が行う処理の一部を、ホストサーバ１０にて行ってもよい。
【００３０】
更に、端末機３０は、表示部を有していてもよい。例えば、端末機３０は、会話が困難な患者に対しては、表示部に会話の内容を表示して情報の入出力を行ってもよい。また、端末機３０は、例えば、問診の際に看護師に要求に応じて、患者の情報を表示部に表示するようにしてもよい。
【００３１】
更に、端末機３０は、ナースコールの発報スイッチを有していてもよい。
【００３２】
更に、端末機３０は、映像受信回路及びカメラを有していてもよい。例えば、端末機３０が複数の患者に対応する場合、カメラで撮影した画像情報による顔認識により患者の識別をおこなってもよい。
【００３３】
１．３  支援動作の流れの一例
次に、支援システム１による使用者への支援動作の流れの一例について、図２及び図３を用いて説明する。
【００３４】
図２に示すように、まず、制御回路３７は、端末機３０に信号が入力される（ステップＳ１０）と支援動作を開始する。より具体的には、制御回路３７は、例えば、ナースコールの管理システムから患者がナースコールを発報させた旨を知らせる信号（以下、「ＮＣ信号」と表記する）を受信した場合、眠りＳＣＡＮＴＭから患者の覚醒信号及びベッドからの起き上がり信号を受信した場合、眠りＳＣＡＮＴＭから受信している呼吸信号または心拍信号の変化を検知した場合、または会話スイッチ３２の信号を受信した場合等に、支援動作を開始する。
【００３５】
制御回路３７は、覚醒信号を受信した場合、すなわち患者が覚醒している場合（ステップＳ１１＿Ｙｅｓ）、呼吸信号に基づいて患者の呼吸が正常か確認する。他方で、制御回路３７は、患者が覚醒していない場合（ステップＳ１１＿Ｎｏ）、すなわち睡眠中の場合、支援動作を終了させる。
【００３６】
制御回路３７は、患者の呼吸が正常である場合（ステップＳ１２＿Ｙｅｓ）、心拍信号に基づいて患者の心拍が正常か確認する。
【００３７】
制御回路３７は、患者の呼吸が正常ではない場合（ステップＳ１２＿Ｎｏ）または、患者の心拍が正常ではない場合（ステップＳ１３＿Ｎｏ）、ＮＣ信号の受信の有無を確認し、ナースコールが発報されているか確認する。
【００３８】
制御回路３７は、ナースコールが発報されていない場合（ステップＳ１４＿Ｎｏ）、管理システムにナースコールの発報を指示する信号を送信する（ステップＳ１５）。
【００３９】
制御回路３７は、ナースコールが発報されている場合（ステップＳ１４＿Ｙｅｓ）、または、ナースコールの発報を指示した（ステップＳ１５）後、患者に看護師を呼んでいる旨を通知し（ステップＳ１６）、支援動作を終了させる。また、このとき、制御回路３７は、例えば、看護師または管理システムに、呼吸または心拍が正常ではない旨を通知する。すなわち、制御回路３７は、緊急度が比較的高いナースコールである旨を通知する。なお、図２の例では、患者が覚醒している場合に、制御回路３７が呼吸及び心拍を確認する場合を示しているが、覚醒の有無に関わらず、呼吸または心拍等に患者の異常を検知した場合、制御回路３７は、例えば、患者の覚醒を促し、ナースコールの発報を指示してもよい。
【００４０】
制御回路３７は、患者の心拍が正常である場合（ステップＳ１３＿Ｙｅｓ）、患者に必要な支援を推測する。より具体的には、制御回路３７は、看護師が各病室を巡回する頻度及びタイミング、看護師の処置内容（容体急変の対応、排泄の補助、車椅子等の用意、飲料水等の用意等）、周辺機器（例えば、照明、カーテン、またはテレビ等）の状態、他の患者の状態（例えば、同室の患者が睡眠状態にあるか覚醒状態にあるか）、または各種センサーの値（覚醒信号、起き上がり信号、呼吸信号、または心拍信号等）等を元に必要な支援の内容（例えば、容体急変への対応、排泄の補助、飲料水の供給、周辺機器の制御、または話し相手となる等）を推測する。
【００４１】
制御回路３７は、支援の推測が困難な場合（ステップＳ１７＿Ｎｏ）、患者と会話をするか否か決定する。
【００４２】
制御回路３７は、患者と会話をしない場合（ステップＳ１８＿Ｎｏ）、支援動作を終了させる。例えば、患者は、夜中に覚醒してもそのまま眠りにつく場合がある。このような場合、制御回路３７は、時間から判断して、患者に不要な声掛けを行わないようにしてもよい。
【００４３】
制御回路３７は、患者と会話をする場合（ステップＳ１８＿Ｙｅｓ）、入力情報等に基づいてメモリ３８に記憶されている複数の会話文に優先順位をつけて（ステップＳ１９）、患者との会話の内容を決定する。より具体的には、患者が覚醒した時間、過去の会話や支援の内容、及び患者の状態（覚醒信号、起き上がり信号、呼吸信号、及び心拍信号等）等から優先順位が高い会話文を決定する。例えば、過去の会話の実績から覚醒後に飲料水を要求される可能性が高い場合、飲料水が必要か確認する会話文の優先順位を高くする。また、例えば、患者が起き上がってベッドの端に移動している場合、時間帯あるいは排泄センサー等の結果から排泄しようとしている可能性が高い場合、看護師の補助、車椅子またはＩＶポールの手配等が必要か確認する会話文の優先順位を高くする。なお、制御回路３７は、時間帯や同じ病室の他の患者の状態等に基づいて、会話文または音量を決定してもよい。より具体的には、例えば、他の端末機３０とアクセスして他の患者が就寝中であることが確認できた場合、制御回路３７は、病室外への移動を促す会話文を選択してもよく、会話の音量を小さく設定してもよい。
【００４４】
図３に示すように、端末機３０は、優先順位付けした会話文に基づいて患者と会話をする（ステップＳ２０）。
【００４５】
制御回路３７は、会話の内容を確認する（ステップＳ２１）。
【００４６】
制御回路３７は、会話の内容が不明確な場合（ステップＳ２２＿Ｙｅｓ）、すなわち、会話が聞き取れなかった場合、ステップＳ２０に戻り、再度患者と会話して、会話の内容を再確認する。
【００４７】
制御回路３７は、会話の内容が明確な場合（ステップＳ２２＿Ｎｏ）、すなわち、会話が聞き取れた場合、会話の内容から患者に支援を行うか否かを決定する。
【００４８】
制御回路３７は、会話の内容から患者に支援不要の意思表示がある場合（ステップＳ２３＿Ｙｅｓ）、支援動作を終了させる。
【００４９】
制御回路３７は、患者に支援不要の意思表示がない場合（ステップＳ２３＿Ｎｏ）、すなわち患者が支援を必要としている場合、支援内容を決定（ステップＳ２４）した後、支援の緊急度を判定する（ステップＳ２５）。例えば、患者が体調不良の場合、緊急度は比較的高く、患者が話し相手を必要としている場合、緊急度は比較的低い。
【００５０】
制御回路３７は、支援内容及び支援の緊急度に応じて、支援を実施する（ステップＳ２６）。より具体的には、例えば、看護師の支援が必要な場合、制御回路３７は、看護師に支援内容と緊急度を報告する。
【００５１】
例えば、看護師は、複数の患者からナースコールがあった場合に、支援システム１の報告結果に基づいて、患者対応の優先順位付けを行ってもよい。また、例えば、支援システム１が看護師の巡回コース、頻度等の編成を行うシステムと通信可能な場合、編成システムは、支援システム１からの情報に基づいて、巡回コース及び頻度の再編成を行ってもよい。すなわち、支援システム１からの情報に基づいて、看護師の業務の動線の見直しが行われてもよい。
【００５２】
また、看護師の支援が不要な場合、支援システム１は、例えば、看護師に補助が不要である旨を通知し、必要な支援を実施する。例えば、車椅子、カート、ＩＶポール等の自動搬送が必要な場合、支援システム１は、自動搬送装置に制御信号を送信し、自動搬送装置を操作する。例えば、飲料水が必要な場合、支援システム１は、飲料水の自動搬送装置に制御信号を送信し、飲料水を搬送させる。例えば、照明、カーテン、テレビ等の操作が必要な場合、支援システム１は、これらの機器に制御信号を送信する。例えば、患者が話し相手を必要としている場合、端末機３０が患者の話し相手となる。
【００５３】
また、例えば使用者が看護師であり、問診のための患者の情報を必要としている場合、支援システム１は、メモリ３８に記憶されている患者の情報を音声で報告する、または無線通信等により看護師が携帯している医療用情報端末機等に提供する。
【００５４】
支援が終了すると、支援システム１は、支援動作を終了する。
【００５５】
１．４  本実施形態に係る効果
本実施形態に係る構成であれば、支援システム１は、端末機３０を含み、端末機３０により患者（使用者）の容体、要求内容、及び要求の緊急度を確認して、患者を支援できる。これにより患者に対応する看護師（応対者）の負担を軽減し、看護師の業務効率を改善させることができる。以下、本効果につき詳述する。
【００５６】
例えば病院において、看護師は、患者からのナースコールがあると、その都度、病室に行き、患者の要求に応えている。しかし、例えば、夜間のように待機している看護師が少ない時間帯ではナースコールが多発すると看護師の人数が足りないため、看護師がすぐに患者に対応できない可能性が高くなる。
【００５７】
また、患者からの要求には、容体の急変といった緊急度の比較的高いものから、水が欲しいといった緊急度の比較的低いものまで多種多様にある。更に、患者の要求には看護師ではなくても対応ができるものもあるが、看護師はそういった要求にも対応しているため、看護師の負担は比較的大きい。
【００５８】
また、看護師は、一旦患者の元に行き、患者の容体や要求を確認してから、患者が要求する物（例えば飲料水、車椅子、カート、またはＩＶポール等）を取りに戻る場合がある。このため、一人の患者の対応に時間を要し、看護師の業務効率が悪くなる場合がある。
【００５９】
更に、複数の患者から同時にナースコールがあった場合に各患者の容体や要求を確認できないと、看護師は業務の優先順位付けをすることができない。
【００６０】
これに対し、本実施形態に係る構成であれば、支援システム１は、例えば、ナースコールに関するＮＣ信号、または、患者の生体情報等が入力されると、これらの入力情報及び患者との会話を通じて必要な支援の内容を確認し、患者の支援を行うことができる。例えば、支援システム１は、患者の容体の急変といった緊急度の高い要求に対しては、看護師に患者の容体及び緊急度といった情報を送信することができる。これにより、看護師は、例えば、処置に必要な物を予め準備して病室に向かうことができ、効率よく処置を行うことができる。また、看護師は、支援システム１の情報に基づいて業務の優先順位付けを行うことができる。
【００６１】
また、例えば、支援システム１は、飲料水等の搬送または周辺機器の操作等、看護師の代わりに支援の一部を行うことができる。これにより、看護師による処置の機会を削減し、看護師の負担を軽減できる。
【００６２】
更に、本実施形態に係る構成であれば、支援システム１は、過去の会話や支援の内容、及び入力情報等に基づいて複数の会話文の優先順位付けを行い、その結果に基づいて患者と会話を進めることができる。これにより、患者は、支援システム１により早く要求を伝えることができる。また、患者は、不要な会話によるストレスが軽減される。
【００６３】
なお、本実施形態では、病院内において支援システム１を用いる場合について説明したが、例えば介護施設の要介護者あるいは在宅患者が支援システム１を用いる場合も同様である。支援システム１に使用状況に応じた支援内容及び会話文等が予め登録されていればよい。
【００６４】
２．第２実施形態
次に、第２実施形態について説明する。第２実施形態では、支援システム１による支援動作について５つの具体例を示す。以下、第１実施形態と異なる点を中心に説明する。
【００６５】
２．１  第１例
まず、第１例について説明する。第１例では、看護師が、問診の際に支援システム１を利用する場合について説明する。
【００６６】
第１例に係る端末機３０は、看護師を認識するための機能を有している。より具体的には、例えば、端末機３０は、ボタンを押すと患者の情報を提供する問診モードに移行する問診ボタンを有していてもよく、看護師による音声データ等の入力、あるいは、病室に設けられたカメラからの画像情報等により看護師を認識し、問診モードに移行する機能を有していてもよい。
【００６７】
次に支援動作の流れについて説明する。
【００６８】
端末機３０は、問診モードに移行した後、看護師の要求により、例えば、患者の情報（例えば、昨日の睡眠時間や睡眠中の呼吸、心拍、排泄の頻度等の情報）を看護師に提供する。看護師は、端末機３０から提供された患者の情報により、患者との会話からでは取得できない情報を得る。
【００６９】
また、例えば、端末機３０は、問診モードに移行した後、看護師からの指示に基づいて、患者と会話を進める。看護師は、患者を問診する場合、患者と会話して体調の変化等を確認する。このときに、看護師は、患者の緊張を解いて会話をスムーズに進めるために端末機３０を介して患者と会話をしてもよい。
【００７０】
２．２  第２例
次に、第２例について説明する。第２例は、端末機３０が就寝中の患者に対して排泄を促す場合について説明する。
【００７１】
端末機３０は、例えば、患者に取り付けられた排泄センサーからの入力信号、または時間等に応じて、就寝中の患者に声掛けを行い、トイレに行くように促す。
【００７２】
２．３  第３例
次に、第３例について説明する。第３例は、患者が端末機３０を用いて言語障害のリハビリテーションを行う場合について説明する。
【００７３】
第３例に係る端末機３０は、例えば、画像認識機能を有している。より具体的には、端末機３０は、カメラを含み、言語障害のリハビリテーションに用いられるカードをカメラで識別する機能を有している。また、端末機３０は、患者のリハビリテーションを支援するリハビリテーションモードを有している。
【００７４】
次に支援動作の流れについて説明する。
【００７５】
端末機３０は、患者に会話スイッチ３２を操作されると、患者と会話を開始し、患者からの要求に応じてリハビリテーションモードに移行する。
【００７６】
例えば、リハビリテーションモードでは、端末機３０は、患者がカードに描かれている物の名前を発音すると、カメラに映ったカードを認識して患者が発音した名前の正誤を判定する。そして、回答が不正解であった場合、または発音が不明瞭だった場合、音声でサポートして患者が正しい発音をできるように促す。また、例えば、端末機３０は、リハビリテーションの結果を取りまとめる。例えば、端末機３０は、過去のリハビリテーションの結果と比較して、患者の回復状況を確認できるようにしてもよい。
【００７７】
２．４  第４例
次に、第４例について説明する。第４例は、端末機３０が、患者との会話を通して患者の感情分析を行う場合について説明する。
【００７８】
端末機３０は、会話の受け答え、音声データの大きさ、会話のスピード等により、患者の感情の起伏を分析する。この結果、端末機３０は、患者の精神状態が安定するように会話文の優先順位付けを行ってもよい。
【００７９】
２．５  第５例
次に、第５例について説明する。第５例は、在宅看護及び在宅介護等において、支援システム１が用いられる場合について説明する。
【００８０】
例えば、在宅看護において、端末機３０は、患者の生体情報を眠りＳＣＡＮＴＭ等のモニタリング装置から受信し、信号の変化を検知した場合、または会話に対する患者の応答に変化を検知した場合等に、患者に病院への連絡を促してもよく、または端末機３０が直接病院に連絡をしてもよい。また、端末機３０は、決められた時間に、患者に対して薬の服用、睡眠、リハビリテーション、または排泄等を促す声掛けを実施してもよい。
【００８１】
２．６  本実施形態に係る効果
本実施形態に係る構成であれば、第１実施形態と同様の効果が得られる。
【００８２】
更に、本実施形態の第１例に係る構成であれば、支援システム１は、看護師が患者と会話をして得られる情報よりも患者に関するより詳細な情報を看護師に提供できる。これにより、看護師は、患者の体調管理がより効果的に行える。
【００８３】
更に、本実施形態の第２例に係る構成であれば、支援システム１は、就寝中の患者に対して必要な声掛けを行うことができる。これにより、例えば、患者は排泄等で失敗する可能性が低くなる。
【００８４】
更に、本実施形態の第３例に係る構成であれば、支援システム１は、患者のリハビリテーションを支援できる。例えば、支援システム１は、看護師または理学療法士等の補助を必要としていた言語障害に関するリハビリテーションの一部を代わりに行うことができる。これにより、看護師または理学療法士等の負担を低減できる。更に、患者は自分の体調、気分に応じて、より効果的にリハビリテーションを行うことができる。
【００８５】
更に、本実施形態の第４例に係る構成であれば、支援システム１は、会話を通して患者の感情の起伏を分析できる。これにより、看護師は、患者の精神状態を把握できる。
【００８６】
更に、本実施形態の第５例に係る構成であれば、支援システム１は、在宅患者（または在宅介護者等）の異常の検知、また在宅患者への必要な声掛け等を行うことができる。
【００８７】
３．第３実施形態
次に、第３実施形態について説明する。なお、第３実施形態では、例えば病室内において一台の端末機３０が複数の患者に対応する場合について説明する。以下、第１実施形態と異なる点を中心に説明する。
【００８８】
３．１  支援動作の流れの一例
支援システム１による使用者への支援動作の流れの一例について、図５を用いて説明する。
【００８９】
図５に示すように、制御回路３７は、ある一人の患者に対して支援を実施するかしないかを決定する（ステップＳ３０）。より具体的には、第１実施形態の図３及び図４で説明したステップＳ１０からステップＳ２４までのフローに従い、支援の要否を決定する。
【００９０】
支援実施を決定した場合（ステップＳ３１＿Ｙｅｓ）、制御回路３７は他の患者の状況を確認し、それに応じて支援内容及び支援方法を決定する（ステップＳ３２）。
【００９１】
例えば、制御回路３７は、他の患者が就寝中かどうかにより患者との会話の方法を決定する。より具体的には、例えば、他の患者が就寝中の場合、制御回路３７は、通常時よりも音量を小さく設定して患者と会話をしてもよい。例えば、端末機３０が指向性スピーカーを有している場合、制御回路３７は指向性スピーカーを用いて会話をしてもよい。例えば、端末機３０がロボットに搭載されている場合、制御回路３７はロボットの身振り（動作）で会話の内容を伝えるようにしてもよい。例えば、端末機３０が表示部を有している場合、制御回路３７は会話の代わりに表示部に会話の内容を表示してもよい。
【００９２】
また、例えば、制御回路３７は、他の患者の居場所を把握し、居場所に応じて支援方法を決定する。より具体的には、例えば、患者がトイレに行く際に、他の患者が通路を塞いでいる場合、制御回路３７は他の患者に対して通路を開けるように声掛けをしてもよい。また、例えば、他の患者を探している場合、制御回路３７は該当の患者に対して「○○さんが呼んでいます。」と声掛けをしてもよい。
【００９３】
また、例えば、複数の患者から要求が発生している場合、制御回路３７は、それらの要求を把握し、要求の内容に応じて支援方法を決定する。より具体的には、例えば、病室内の複数の患者の要求が一括作業で解決できる場合、制御回路３７は看護師さんにその旨を通知してもよい。例えば、おむつの交換と飲料水の搬送とが要求としてある場合、看護師は予め両方の準備をして病室に行けば、１度の訪問で支援を終了できる。
【００９４】
ステップＳ３２において支援方法を決定した後、制御回路３７は、各患者の支援内容の緊急度を判定する（ステップＳ３３）。
【００９５】
制御回路３７は、緊急度の高い順に各患者の支援を実施する（ステップＳ３４）。その際、制御回路３７は、並行に実施可能な要求に対しては、同時に支援を実施する。
【００９６】
より具体的には、例えば、複数の患者に対して看護師の呼び出しが必要な場合、制御回路３７は１回のナースコールの発報でその旨を連絡してもよい。例えば、複数の患者が飲料水、車椅子、カート、またはＩＶポール等の搬送を要求している場合、制御回路３７は自動搬送装置にその旨を連絡してまとめて手配をしてもよい。例えば、複数の患者が話し相手を必要としている場合、制御回路３７は複数の患者と会話をしてもよい。例えば、看護師の問診において、制御回路３７は、看護師に各患者の情報をまとめて報告してもよい。例えば、複数の患者から周辺機器の操作を要求された場合、制御回路３７は、照明、カーテン、またはテレビ等の操作を同時に実施してもよい。
【００９７】
制御回路３７は、各支援が終了したか確認する。そして、制御回路３７は、各支援が終了していない場合（ステップＳ３５＿Ｎｏ）、ステップＳ３２に戻る。
【００９８】
より具体的には、追加の要求があった場合、制御回路３７は過去の支援が終了したか確認した後、ステップＳ３２に戻り、支援内容及び支援方法を決定する。例えば、他の支援で既に看護師を呼び出している場合、制御回路３７は新たにナースコールを発報させずに、その旨を看護師に連絡してもよい。
【００９９】
各支援が終了している場合（ステップＳ３５＿Ｙｅｓ）、制御回路３７は支援動作を終了させる。
【０１００】
なお、本実施形態では病室に１台の端末機３０が配置されている場合について説明したが、患者一人につき１台の端末機３０が与えられていてもよい。この場合、例えば、ホストサーバ１０が、他の患者の状況を確認して支援方法を決定する、または各要求の緊急度を判断する等の処理を行ってもよい。
【０１０１】
３．２  本実施形態に係る効果
本実施形態に係る構成であれば、第１及び第２実施形態と同様の効果が得られる。
【０１０２】
更に本実施形態に係る構成であれば、支援システム１は、他の患者の状況に応じて、支援内容、支援方法、及び緊急度を決定できる。更に、支援システム１は、複数の要求を一括で支援することができる。これにより、看護師は、緊急度の高い順に要求に対応することができる。更に、看護師は、複数の要求を一括して処理することができる。このため、看護師の業務効率を改善できる。
【０１０３】
４．変形例等
実施形態は上記説明した形態に限定されるものではなく、種々の変形が可能である。
【０１０４】
例えば、制御回路３７は、患者の要求の緊急度を、何らかの指標を用いて可視化し、看護師に連絡をしてもよい。
【０１０５】
更に、制御回路３７は、例えば、眠りＳＣＡＮＴＭから取得できる信号に基づいて、患者が覚醒した際の体調を判定し、判定結果も合わせて看護師に報告するようにしてもよい。
【０１０６】
更に、制御回路３７は、覚醒の頻度、またはバイタル（呼吸、心拍等）の状況等の情報についての学習機能を有していてもよく、制御回路３７は、この学習機能の結果に基づいて、患者との会話の有無の判定を行うようにしてもよい。
【０１０７】
更に、制御回路３７は、会話の内容と受け答えのスムーズ差を学習し、会話文の優先度を自動的に変更してもよい。
【０１０８】
なお、本発明は、上記実施形態に限定されるものではなく、実施段階ではその要旨を逸脱しない範囲で種々に変形することが可能である。また、各実施形態は適宜組み合わせて実施してもよく、その場合組み合わせた効果が得られる。更に、上記実施形態には種々の発明が含まれており、開示される複数の構成要件から選択された組み合わせにより種々の発明が抽出され得る。例えば、実施形態に示される全構成要件からいくつかの構成要件が削除されても、課題が解決でき、効果が得られる場合には、この構成要件が削除された構成が発明として抽出され得る。
【符号の説明】
【０１０９】
１…支援システム、１０…ホストサーバ、２０…中継器、３０…端末機、３１…無線通信回路、３２…会話スイッチ、３３…マイクロフォン、３４…スピーカー、３５…入力回路、３６…出力回路、３７…制御回路、３８…メモリ。
【図１】
2019216820.tif 000003
【図２】
2019216820.tif 000004
【図３】
2019216820.tif 000005
【図４】
2019216820.tif 000006
【図５】
2019216820.tif 000007